【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
画像表示面を備え、該画像表示面に原画像を第１表示領域と第２表示領域とに区分して表示可能な原画像表示手段と、
前記画像表示面に対して傾斜するように配置され、前記画像表示面の前記第２表示領域から射出される光を該画像表示面に沿う方向に反射する反射板と、
前記反射板が配置された同一の前記画像表示面に対して前記反射板と同一の側に傾斜させた状態で前記反射板からの反射光の進行方向に配置されて前記画像表示面を前記第１表示領域及び前記第２表示領域に区分し、かつ前記画像表示面の前記第１表示領域から射出される光を反射するとともに前記反射板の反射光を透過する透過反射板と、
前記画像表示面に原画像を表示するための表示駆動手段と、
前記画像表示面に表示すべき複数の表示対象を含む原画像データが格納されている原画像データ記憶手段と、
前記第１表示領域及び前記第２表示領域のそれぞれに表示すべき原画像データを前記原画像データ記憶手段から読み出すとともに、読み出された原画像データに基づいた原画像が前記第１表示領域及び前記第２表示領域のそれぞれに表示されるように前記表示駆動手段を制御する画像表示制御手段と、
仮想的な三次元空間内に前記各表示対象を配置したときの前記各表示対象の奥行き方向の位置を示すＺ値を、前記各表示対象を前記第１表示領域又は第２表示領域のいずれに表示するかを振り分けるために必要な情報として前記各表示対象の座標データから取得する取得手段と、
前記取得手段が取得した前記Ｚ値に基づいて、前記各表示対象を前記第１表示領域又は第２表示領域のいずれに表示するかを振り分ける振分け手段と、
を具備し、
前記画像表示制御手段は、前記反射板から反射された画像と前記透過反射板から反射された画像とを合成した合成画像が観察されるように、前記各表示対象を前記振分け手段の振分け結果に基づいて前記第１表示領域又は前記第２表示領域に２次元の原画像として表示させることを特徴とする遊技機の画像表示装置。
【請求項２】
画像表示面を備え、該画像表示面に原画像を第１表示領域と第２表示領域とに区分して表示可能な原画像表示手段と、
前記画像表示面に対して傾斜するように配置され、前記画像表示面の前記第２表示領域から射出される光を該画像表示面に沿う方向に反射する反射板と、
前記反射板が配置された同一の前記画像表示面に対して前記反射板と同一の側に傾斜させた状態で前記反射板からの反射光の進行方向に配置されて前記画像表示面を前記第１表示領域及び前記第２表示領域に区分し、かつ前記画像表示面の前記第１表示領域から射出される光を反射するとともに前記反射板の反射光を透過する透過反射板と、
前記画像表示面に原画像を表示するための表示駆動手段と、
前記画像表示面に表示すべき複数の表示対象を含む原画像データが格納されている原画像データ記憶手段と、
前記第１表示領域及び前記第２表示領域のそれぞれに表示すべき原画像データを前記原画像データ記憶手段から読み出すとともに、読み出された原画像データに基づいた原画像が前記第１表示領域及び前記第２表示領域のそれぞれに表示されるように前記表示駆動手段を制御する画像表示制御手段と、
仮想的な三次元空間内に前記各表示対象を配置したときの前記各表示対象の奥行き方向の位置を示すＺ値を、前記各表示対象を前記第１表示領域又は第２表示領域のいずれに表示するかを振り分けるために必要な情報として前記各表示対象の座標データから取得する取得手段と、
前記取得手段が取得した前記Ｚ値に基づいて、前記各表示対象を前記第１表示領域又は第２表示領域のいずれに表示するかを振り分ける振分け手段と、
を具備する画像表示装置を搭載する遊技機であって、
前記画像表示制御手段は、前記反射板から反射された画像と前記透過反射板から反射された画像とを合成した合成画像が観察されるように、前記各表示対象を前記振分け手段の振分け結果に基づいて前記第１表示領域又は前記第２表示領域に２次元の原画像として表示させることを特徴とする遊技機。
【請求項３】
画像表示面を備え、該画像表示面に原画像を第１表示領域と第２表示領域とに区分して表示可能な原画像表示手段と、
前記画像表示面に対して傾斜するように配置され、前記画像表示面の前記第２表示領域から射出される光を該画像表示面に沿う方向に反射する反射板と、
前記反射板が配置された同一の前記画像表示面に対して前記反射板と同一の側に傾斜させた状態で前記反射板からの反射光の進行方向に配置されて前記画像表示面を前記第１表示領域及び前記第２表示領域に区分し、かつ前記画像表示面の前記第１表示領域から射出される光を反射するとともに前記反射板の反射光を透過する透過反射板と、
前記画像表示面に原画像を表示するための表示駆動手段と、
前記画像表示面に表示すべき複数の表示対象を含む原画像データが格納されている原画像データ記憶手段と、
前記原画像データ記憶手段から読み出された原画像データの書き込み及び読み出しが可能で、前記第１表示領域及び前記第２表示領域のそれぞれに対応した２つの記憶領域に区分された１つのビデオメモリと、
前記第１表示領域及び前記第２表示領域のそれぞれに表示すべき原画像データを前記原画像データ記憶手段から読み出すとともに、読み出された原画像データを前記ビデオメモリに書き込み、書き込まれた原画像データに基づいた原画像が前記第１表示領域及び前記第２表示領域のそれぞれに表示されるように前記表示駆動手段を制御する画像表示制御手段と、
仮想的な三次元空間内に前記各表示対象を配置したときの前記各表示対象の奥行き方向の位置を示すＺ値を、前記各表示対象を前記第１表示領域又は第２表示領域のいずれに表示するかを振り分けるために必要な情報として前記各表示対象の座標データから取得する取得手段と、
前記取得手段が取得した前記Ｚ値に基づいて、前記各表示対象を前記第１表示領域又は第２表示領域のいずれに表示するかを振り分ける振分け手段と、
を具備する画像表示装置を搭載する遊技機であって、
前記画像表示制御手段は、前記反射板から反射された画像と前記透過反射板から反射された画像とを合成した合成画像が観察されるように、前記各表示対象を前記振分け手段の振分け結果に基づいて前記第１表示領域又は前記第２表示領域に２次元の原画像として表示させ、
前記振分け手段は、処理対象となる表示対象の前記Ｚ値が、奥行き方向に関して設定された閾値よりも小さい場合には、当該表示対象に対応した原画像データを第１表示領域に対応した前記ビデオメモリの前記記憶領域に書き込む一方で、処理対象となる表示対象の前記Ｚ値が、前記閾値よりも大きい場合には、当該表示対象に対応した原画像データを第２表示領域に対応した前記ビデオメモリの前記記憶領域に書き込む、ことを特徴とする遊技機。
【手続補正２】
【補正対象書類名】明細書
【補正対象項目名】０００８
【補正方法】変更
【補正の内容】
【０００８】
本発明の遊技機の画像表示装置は、画像表示面（２ａ）を備え、該画像表示面に原画像を第１表示領域（１００）と第２表示領域（２００）とに区分して表示可能な原画像表示手段と、前記画像表示面に対して傾斜するように配置され、前記画像表示面の前記第２表示領域から射出される光を該画像表示面に沿う方向に反射する反射板（４）と、前記反射板が配置された同一の前記画像表示面に対して前記反射板と同一の側に傾斜させた状態で前記反射板からの反射光の進行方向に配置されて前記画像表示面を前記第１表示領域及び前記第２表示領域に区分し、かつ前記画像表示面の前記第１表示領域から射出される光を反射するとともに前記反射板の反射光を透過する透過反射板（５）と、前記画像表示面に原画像を表示するための表示駆動手段（６）と、前記画像表示面に表示すべき複数の表示対象（α、β）を含む原画像データが格納されている原画像データ記憶手段（７、８、２０）と、前記第１表示領域及び前記第２表示領域のそれぞれに表示すべき原画像データを前記原画像データ記憶手段から読み出すとともに、読み出された原画像データに基づいた原画像が前記第１表示領域及び前記第２表示領域のそれぞれに表示されるように前記表示駆動手段を制御する画像表示制御手段（１１）と、仮想的な三次元空間内に前記各表示対象を配置したときの前記各表示対象の奥行き方向の位置を示すＺ値を、前記各表示対象を前記第１表示領域又は第２表示領域のいずれに表示するかを振り分けるために必要な情報として前記各表示対象の座標データから取得する取得手段（１１）と、前記取得手段が取得した前記Ｚ値に基づいて、前記各表示対象を前記第１表示領域又は第２表示領域のいずれに表示するかを振り分ける振分け手段（１１）と、を具備し、前記画像表示制御手段は、前記反射板から反射された画像と前記透過反射板から反射された画像とを合成した合成画像が観察されるように、前記各表示対象を前記振分け手段の振分け結果に基づいて前記第１表示領域又は前記第２表示領域に２次元の原画像として表示させることにより、上述した課題を解決する。
【手続補正３】
【補正対象書類名】明細書
【補正対象項目名】０００９
【補正方法】変更
【補正の内容】
【０００９】
本発明の第１の遊技機は、画像表示面（２ａ）を備え、該画像表示面に原画像を第１表示領域（１００）と第２表示領域（２００）とに区分して表示可能な原画像表示手段と、前記画像表示面に対して傾斜するように配置され、前記画像表示面の前記第２表示領域から射出される光を該画像表示面に沿う方向に反射する反射板（４）と、前記反射板が配置された同一の前記画像表示面に対して前記反射板と同一の側に傾斜させた状態で前記反射板からの反射光の進行方向に配置されて前記画像表示面を前記第１表示領域及び前記第２表示領域に区分し、かつ前記画像表示面の前記第１表示領域から射出される光を反射するとともに前記反射板の反射光を透過する透過反射板（５）と、前記画像表示面に原画像を表示するための表示駆動手段（６）と、前記画像表示面に表示すべき複数の表示対象（α、β）を含む原画像データが格納されている原画像データ記憶手段（７、８、２０）と、前記第１表示領域及び前記第２表示領域のそれぞれに表示すべき原画像データを前記原画像データ記憶手段から読み出すとともに、読み出された原画像データに基づいた原画像が前記第１表示領域及び前記第２表示領域のそれぞれに表示されるように前記表示駆動手段を制御する画像表示制御手段（１１）と、仮想的な三次元空間内に前記各表示対象を配置したときの前記各表示対象の奥行き方向の位置を示すＺ値を、前記各表示対象を前記第１表示領域又は第２表示領域のいずれに表示するかを振り分けるために必要な情報として前記各表示対象の座標データから取得する取得手段（１１）と、前記取得手段が取得した前記Ｚ値に基づいて、前記各表示対象を前記第１表示領域又は第２表示領域のいずれに表示するかを振り分ける振分け手段（１１）と、を具備する画像表示装置を搭載する遊技機であって、前記画像表示制御手段は、前記反射板から反射された画像と前記透過反射板から反射された画像とを合成した合成画像が観察されるように、前記各表示対象を前記振分け手段の振分け結果に基づいて前記第１表示領域又は前記第２表示領域に２次元の原画像として表示させることにより、上述した課題を解決する。
【手続補正４】
【補正対象書類名】明細書
【補正対象項目名】００１０
【補正方法】変更
【補正の内容】
【００１０】
本発明の第２の遊技機は、画像表示面（２ａ）を備え、該画像表示面に原画像を第１表示領域（１００）と第２表示領域（２００）とに区分して表示可能な原画像表示手段と、前記画像表示面に対して傾斜するように配置され、前記画像表示面の前記第２表示領域から射出される光を該画像表示面に沿う方向に反射する反射板（４）と、前記反射板が配置された同一の前記画像表示面に対して前記反射板と同一の側に傾斜させた状態で前記反射板からの反射光の進行方向に配置されて前記画像表示面を前記第１表示領域及び前記第２表示領域に区分し、かつ前記画像表示面の前記第１表示領域から射出される光を反射するとともに前記反射板の反射光を透過する透過反射板（５）と、前記画像表示面に原画像を表示するための表示駆動手段（６）と、前記画像表示面に表示すべき複数の表示対象（α、β）を含む原画像データが格納されている原画像データ記憶手段（７、８、２０）と、前記原画像データ記憶手段から読み出された原画像データの書き込み及び読み出しが可能で、前記第１表示領域及び前記第２表示領域のそれぞれに対応した２つの記憶領域に区分された１つのビデオメモリ（２１、３１）と、前記第１表示領域及び前記第２表示領域のそれぞれに表示すべき原画像データを前記原画像データ記憶手段から読み出すとともに、読み出された原画像データを前記ビデオメモリに書き込み、書き込まれた原画像データに基づいた原画像が前記第１表示領域及び前記第２表示領域のそれぞれに表示されるように前記表示駆動手段を制御する画像表示制御手段（１１）と、仮想的な三次元空間内に前記各表示対象を配置したときの前記各表示対象の奥行き方向の位置を示すＺ値を、前記各表示対象を前記第１表示領域又は第２表示領域のいずれに表示するかを振り分けるために必要な情報として前記各表示対象の座標データから取得する取得手段（１１）と、前記取得手段が取得した前記Ｚ値に基づいて、前記各表示対象を前記第１表示領域又は第２表示領域のいずれに表示するかを振り分ける振分け手段（１１）と、を具備し、前記画像表示制御手段は、前記反射板から反射された画像と前記透過反射板から反射された画像とを合成した合成画像が観察されるように、前記各表示対象を前記振分け手段の振分け結果に基づいて前記第１表示領域又は前記第２表示領域に２次元の原画像として表示させ、前記振分け手段は、処理対象となる表示対象の前記Ｚ値が、奥行き方向に関して設定された閾値よりも小さい場合には、当該表示対象に対応した原画像データを第１表示領域に対応した前記ビデオメモリの前記記憶領域に書き込む一方で、処理対象となる表示対象の前記Ｚ値が、前記閾値よりも大きい場合には、当該表示対象に対応した原画像データを第２表示領域に対応した前記ビデオメモリの前記記憶領域に書き込むことにより、上述した課題を解決する。
【手続補正５】
【補正対象書類名】明細書
【補正対象項目名】００１１
【補正方法】変更
【補正の内容】
【００１１】
本発明の遊技機の画像表示装置によれば、単一の画像表示面に原画像が表示されるとともに、この画像表示面に対して傾斜して配置された反射板及び透過反射を備えているので、反射板にて反射した画像と透過反射板にて反射した画像とが透過反射板を介して合成されて合成画像が生成される。従って、合成画像を生成するために原画像表示手段を複数用意する必要がないので、装置規模及び製作コストの増大を抑えることができる。しかも、原画像表示手段を複数用意する場合と比較して原画像を表示するための制御がし易いので、表示内容や表示位置の自由度が高い。更に、この画像表示装置が振分け手段を備えているため、仮想的な三次元空間上に表示対象の動的な配置が可能となる。
【手続補正６】
【補正対象書類名】明細書
【補正対象項目名】００１２
【補正方法】変更
【補正の内容】
【００１２】
いわゆるパチスロ機やパチンコ機等の遊技機では、コスト及び遊技機の外形寸法から遊技機に搭載する画像表示装置の規模及び構造に制約を受けることが多い。従って、遊技機に搭載する画像表示装置として本発明の画像表示装置が適している。上記第１及び第２の遊技機によれば、遊技内容や演出等に関するアニメーション等を透過反射板を介して合成された合成画像にて表示することができるので、遊技者に与える視覚効果を高めることができる。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】